(57)【要約】【課題】室内のカビの増殖、繁殖を抑制できる汚染防止方法を提供すること。【解決手段】  室内の少なくとも壁および天井ならびに床を構成する各室内構成部材は、それらの部材表面にカビの増殖抑制作用或いは殺菌作用を持つ薬剤が露出するように配合され、かつ、それらの部材表面はカビを捕捉し易い多孔質性を有している。カビの増殖抑制作用或いは殺菌作用を持つ薬剤として、銀イオンを担持した無機質薬剤と、含窒素複素環系の有機薬剤とが併用される。【選択図】        なし【特許請求の範囲】
【請求項１】
室内の空気中へのカビの拡散を防止するに際して、
室内の少なくとも壁および天井ならびに床を構成する各室内構成部材は、それらの部材表面にカビの増殖抑制作用或いは殺菌作用を持つ薬剤が露出するように配合され、かつ、それらの部材表面はカビを捕捉し易い多孔質性を有している、
ことを特徴とする室内のカビの汚染防止方法。
【請求項２】
室内の空気中へのカビの拡散を防止するに際して、
室内の少なくとも壁および天井ならびに床を構成する各室内構成部材は、それらの部材表面がカビの増殖抑制作用或いは殺菌作用を持つ薬剤が露出するように配合された塗料層で構成され、かつ、前記塗料層の表面はカビを捕捉し易い多孔質性を有している、
ことを特徴とする室内のカビの汚染防止方法。
【請求項３】
室内の空気中へのカビの拡散を防止するに際して、
室内の床を除いた少なくとも壁および天井を構成する各室内構成部材は、それらの部材表面がカビの増殖抑制作用或いは殺菌作用を持つ薬剤が露出するように配合され、かつ、それらの部材表面がカビを捕捉し易い多孔質性を有し、
室内の床を構成する床構成部材は、その部材表面にカビの増殖抑制作用或いは殺菌作用を持つ薬剤が露出するように配合され、かつ、その部材の厚さ方向の中間部に前記部材表面に連通して調湿機能を有する多孔質な材料が配置されている、
ことを特徴とする室内のカビの汚染防止方法。
【請求項４】
室内の空気中へのカビの拡散を防止するに際して、
室内の床を除いた少なくとも壁および天井を構成する各室内構成部材は、それらの部材表面がカビの増殖抑制作用或いは殺菌作用を持つ薬剤が露出するように配合された塗料層で構成され、かつ、前記塗料層の表面はカビを捕捉し易い多孔質性を有し、
室内の床を構成する床構成部材は、その部材表面がカビの増殖抑制作用或いは殺菌作用を持つ薬剤が露出するように配合され、かつ、その部材の厚さ方向の中間部に前記部材表面に連通して調湿機能を有する多孔質な材料が配置されている、
ことを特徴とする室内のカビの汚染防止方法。
【請求項５】
室内を構成する建具部は、前記建具を構成するガラスとして複層ガラスを用い、前記ガラスおよび前記建具を構成する金属部或いは木製部の表面に、カビの増殖抑制作用或いは殺菌作用を持つ薬剤が配合され該薬剤が露出する樹脂層を設けたことを特徴とする請求項1に記載の室内カビ汚染防止方法。
【請求項６】
前記室内を構成する什器及び備品の部材表面に、カビの増殖抑制作用或いは殺菌作用を持つ薬剤が配合され該薬剤が露出する樹脂を設けたことを特徴とする請求項1に記載の室内のカビの汚染防止方法。
【請求項７】
カビの増殖抑制作用或いは殺菌作用を持つ薬剤として、無機質薬剤と有機薬剤とが併用されることを特徴とする請求項１乃至６のいずれかに記載の室内のカビの汚染防止方法。
【請求項８】
前記室内にカビを集塵する装置を設け、室内の空気に対流を与え、空気が前記室内を構成する部材に容易に接触するようにしたことを特徴とする請求項１乃至４のいずれかに記載の室内のカビの汚染防止方法。
【請求項９】
前記室内を構成する部材は、耐汚染性、耐熱水性、耐薬品性、耐磨耗性の機能のうち１種以上の機能を有する部材であることを特徴とする請求項１乃至４のいずれかに記載の室内のカビの汚染防止方法。
【発明の詳細な説明】
【技術分野】
【０００１】
本発明は住宅（一戸建住宅や集合住宅を含む）、商業施設、事務所等の建物の室内のカビの汚染防止方法に関する。
【背景技術】
【０００２】
最近の建物の室内は省エネルギーの観点から高気密、高断熱が保たれており、人間にとって住み良い環境が提供されているが、カビにとっても住み良い環境を与え、室内にカビが多く繁殖している。
カビは壁紙、タイル目地、ガスケットなど、室内の様々な建材に付着し繁殖する。建材に大量増殖したカビは、建材を劣化させ、強度低下や色落ち、色素沈着などを招き、機能を損なう。
建材に大量増殖したカビは、空気中に菌糸や胞子を放散し、室内空気が汚染され、居住者に皮膚炎、喘息などのアレルギー性疾患が増えてきている。
最近では建材に繁殖するカビに対して、建材に防カビ剤を配合し、カビを繁殖させない建材が多数ある。
カビなどで汚染された空気は、空気調和機や空気清浄機などの機械により換気することで、空気中の胞子や菌糸を除去する方法が採られている。また、機械により室内の湿度をコントロールすることによってカビの繁殖しづらい環境にする方法が採られている。
【０００３】
一方、施設内の感染防止を目的とした技術として特許３１７７１０６号が知られている（例えば、特許文献１）。
しかしながら、この技術は細菌類を対象とするもので銀系抗菌剤を使用しており、そのため、即効性に乏しく、カビの繁殖を効果的に抑制できないため、カビの汚染防止には不適である。
【特許文献１】特許第３１７７１０６号公報
【発明の開示】
【発明が解決しようとする課題】
【０００４】
上述のように、高気密、高断熱の住宅では、換気も十分に行われないため結露が発生しやすく、カビが生育しやすくなり、室内の建材に付着または繁殖したカビを、殺菌剤などで清掃し除去する方法がある。
しかしながら、この方法は、床や壁など全て清掃しなければならず、大変な作業となる。
また、この方法では、定期的に行わなければ再びカビが発生する。
また、使用される殺菌剤、例えば塩素系カビ取り剤は、塩素ガスなどが発生する恐れがあるため、使用者の安全を十分考慮しなければならない。
また、継続的な殺菌剤の使用は、建材を劣化させ、強度低下や外観を損なうことがある。
また、一般に、防カビ剤を配合した建材は、施工前の保管時に防腐の役目で防カビ剤を配合したもので、施工後の防カビ性能を考慮していない。または、施工後の防カビ性能を考慮していた場合でも、他の建材に繁殖したカビが室内空間へ大量に放散し、防カビ剤を配合した建材に大量に付着した場合は、防カビ剤の効き目が追いつかない。さらに、防カビ剤は時間が経つにつれて分解してしまうため、防カビ性能に持続性がない。
さらに、空気調和機や空気清浄機などの機械により換気することでカビなどで汚染された空気を除去させる方法や機械により室内の湿度をコントロールする方法は、電力を必要とし、ランニングコストがかかる上、間接的にCO2の排出されてしまい環境に良くない。
【０００５】
本発明は前記事情に鑑み案出されたものであって、本発明の目的は、室内のカビの増殖、繁殖を抑制できる汚染防止方法を提供することにある。
【課題を解決するための手段】
【０００６】
前記目的を達成するため本発明は、室内を構成する壁、天井、床などを、カビの増殖抑制作用或いは殺菌作用を有する部材、カビの生育環境を低下させる部材などを用いる。
カビの増殖抑制作用或いは殺菌作用を有する前記部材は、仕上表面にカビの増殖抑制作用或いは殺菌作用を持つ薬剤を表層に露出するよう形成する。
また、カビが前記室内を構成する部材に捕捉しやすいように多孔質で凹凸がある表面を形成させる。
前記室内を構成する部材は、例えば、塗料、せっこう、珪藻土、漆喰、セメントなどから選択される一種以上の材質により構成される。
前記室内を構成する部材の表面に多孔質を形成する方法としては、前記室内を構成する部材を作製する際に、材料の一部に例えばゼオライト、活性炭、珪藻土、シリカゲルなどの多孔質な材料を用い、前記室内を構成する部材自体に多孔質性を持たせる。また、施工方法は例えば吹き付け仕上など表面仕上に凹凸ができる工夫で行う。
カビの生育環境を低下させる方法として、それら部材が調湿機能を有する材料で構成されている。すなわち、それら部材が湿気を吸放出する機能を有し、室内の湿度をカビが生育しにくい環境に調和させる。前記機能は前記室内を構成する部材の表面が多孔質性を有することにより発揮される。
そして、前記部材にカビの増殖抑制作用或いは殺菌作用を持つ薬剤が前記部材の仕上げ表面に露出するよう配合され、且つ、前記室内を構成する部材自体が多孔質性を有し、あるいは、前記室内を構成する部材の少なくともその表面が多孔質性を有している。
これらの事項は現地施工を前提にしているが、もちろん予め工場で作られた成型品を使用可能である。
【０００７】
あるいは、前記室内を構成する部材として多孔質な材料を用いない場合であっても、前記室内を構成する部材の表面がカビの増殖抑制作用或いは殺菌作用を持つ薬剤が露出するように配合された塗料層で構成され、かつ、前記塗料層の表面がカビを捕捉し易い多孔質性を有している。
前記塗料層の表面に多孔質を形成する方法は、前記塗料に例えばゼオライト、活性炭、珪藻土、シリカゲルなどの多孔質な材料を混入させ、微生物類が補足し易くするとともに、調湿機能も有する。
そして、前記薬剤を配合してなる塗料（樹脂を含む）で液体状であるものを、刷毛、ローラー、噴霧器等で前記部材の表面に塗布する。
前記部材は現地施工を前提にしているが、もちろんボードなどの成型品に加工したもので取り付けても良い。
【０００８】
また、室内の床を除いた少なくとも壁および天井を構成する各室内構成部材を上記のように構成し、床に関しては次のようにしてもよい。
床の部材の仕上表面にカビの増殖抑制作用或いは殺菌作用を持つ薬剤を表層に露出するよう形成する。
床の部材は、例えばフローリング、塗床、長尺シート、石、タイル、カーペットなどから選択される一種以上の部材により構成され、前記部材の表面にカビの増殖抑制作用或いは殺菌作用を持つ薬剤を含む表層が形成されている。
形成する方法は、前記薬剤を軽量の骨材に吸着又は結合させ、骨材と前記床の主成分との比重差で前記薬剤を表層に浮上させることによって、前記薬剤を表層に露出する。
または、前記薬剤を配合してなる塗料（樹脂を含む）で液体状であるものを、刷毛、ローラー、噴霧器等で床の表面に塗布する。
また、前記床を構成する部材の芯部に湿気を吸放出する機能を有する。前記機能は、例えば、前記床を構成する部材の厚さ方向の中間部に活性炭、ゼオライト、シリカゲルなどの多孔質な材料を、前記床の表面との間で空気が流通できる状態で配置することで奏される。
【０００９】
また、室内を構成する建具の表面は、カビの増殖抑制作用或いは殺菌作用を持つ薬剤を配合している樹脂層を設ける。
また、建具の一部を構成するガラスは複層ガラスを用い、好ましくは前記樹脂層を設ける。前記樹脂を設ける方法は、前記樹脂の形状が液体状であり、刷毛、ローラー、噴霧器等で塗布する。建具の一部を構成するシーリングは前記薬剤を配合してなるものを用いる。
また、室内にある什器、備品の部材表面にカビの増殖抑制作用或いは殺菌作用を持つ薬剤配合した樹脂を表層に設ける。前記樹脂を設ける方法は、前記樹脂の形状が液体状であり、刷毛、ローラー、噴霧器等で塗布する。
【００１０】
カビの増殖抑制作用或いは殺菌作用を持つ薬剤は、無機質薬剤と有機薬剤を併用する。
そして、無機質薬剤と有機薬剤を併用した薬剤を、室内を構成する前記部材の仕上げ表面に、前記薬剤を露出するように形成する。
無機質薬剤は、カビの増殖を抑制する効果或いは殺菌作用が半永久的に持続する。
無機質薬剤は、金属を担体に担持させたものを用いる。金属は、例えば、銀、銅、亜鉛等が挙げられ、担体は、例えば、無機イオン交換体、ゼオライト、シリカゲル、リン酸カルシウム等が挙げられる。好ましくは銀を無機イオン交換体に担持させた銀系の無機質系薬剤を用いる。もちろん前記金属の無機化合物を組み合わせることもできる。前記銀系化合物は、耐熱性に優れ、室内を構成する前記部材の製造時に分解せず、室内を構成後も半永久的にカビの増殖を抑制する効果或いは殺菌作用が持続する。
有機薬剤は、カビの増殖を抑制する効果或いは殺菌作用が無機質薬剤に比べて速い。
有機薬剤は、例えば含窒素複素環系、アルデヒド系、ニトリル系等が挙げられるが、好ましくは含窒素複素環系薬剤を用いる。有機薬剤は、カビの増殖を抑制する効果或いは殺菌作用が無機質薬剤より速い。前記含窒素複素環系薬剤は例えばイミダゾール系の2-(4-チアゾリル)ベンゾイミダゾールや2-ベンゾイミダゾールカルバミン酸メチル、チアゾール系の2-(4-チオシアノメチルチオ)ベンゾチアゾール、ピリジン系のバイオカット(大日本インキ化学工業株式会社)等の他、イソチアゾリン系、トリアジン系等が挙げられる。
【００１１】
また、室内を構成する前記部材に、効率よく室内の空気が接触する様に、室内の空気を対流させる。室内の空気を対流させる手段としては、例えば空気清浄機、空調機、換気扇などの装置を用いる。前記装置は、好ましくは室内のカビを集塵する機能を有するものを用いる。
また、室内を構成する部材にカビの栄養となる汚れの付着を防ぐために、前記部材に耐汚染性を有する。室内を熱水で洗浄することを想定し、熱水に対して、耐熱水性を有する部材で室内を構成する。室内を薬剤で洗浄することを想定し、エタノール、次亜塩素酸ナトリウム、中性洗剤等の薬剤に対して、耐薬品性を有する部材で室内を構成する。室内をフォークリフト等の車輛が走行することを想定して、磨耗や衝撃に対して、耐磨耗性、耐衝撃性を有する部材で室内を構成する。室内を構成する部材は、前記機能の内一種または二種以上の機能を有する。当然意匠性や室内の構成部材に必要な機能、例えば防火性などを有する。
【発明の効果】
【００１２】
本発明は、室内を構成する部材を、カビの増殖を抑制する薬剤或いは殺菌作用を持つ薬剤を配合する部材で構成することで、機械を使わずに部材に付着したカビの繁殖を阻止する。また、室内を構成する部材に多孔質な材料を用いることにより、カビ類が補足し易くするとともに、室内に結露を生じさせないために調湿機能を有する。
無機質系の薬剤を配合することによって薬剤の分解を防ぎ、カビの繁殖抑制を半永久的に持続させる。
さらに、有機質系の薬剤を配合させることによってカビの繁殖抑制効果を高めている。
前記室内を構成する部材に耐汚染性を有することによって、前記部材表面にカビの栄養となる汚れが付着しない。
【００１３】
本発明では、室内を構成する部材を、カビの増殖を抑制する部材で構成することにより、前記部材に付着しているカビが繁殖しないと共に、空気中に浮遊するカビに対しても機械等を使わずに殺菌性を有する。更に効率を高めるために多孔質な材料を用いて、カビが補足し易い表面を形成する。
前記多孔質な材料は調湿機能も有し、室内の結露防止を機械等を使わずに行うことができる。
前記薬剤を無機質系の薬剤にすることで薬剤の分解を防ぎ、カビの繁殖抑制を半永久的に持続させる。
さらに、有機質系の薬剤を配合させることによってカビの繁殖抑制効果を高めている。
前記室内を構成する部材に耐汚染性の機能を有することにより、前記部材表面にカビの栄養となる汚れが付着しない。また、耐薬品性を有することにより、塩素系カビ取り剤などの薬品(殺菌剤)での洗浄ができる。
【発明を実施するための最良の形態】
【００１４】
本発明は、室内を構成する部材表面に、カビの増殖抑制作用或いは殺菌作用を持つ薬剤が露出するように配合され、かつ、それらの部材表面はカビを捕捉し易い多孔質性を有していることで上記の目的を達成した。
以下、本発明の実施例について説明する。
【実施例１】
【００１５】
室内を構成する部材に混入させる微生物類（カビを含む）を殺菌する作用を持つ薬剤は、無機質系薬剤と有機薬剤を併用する。
無機系薬剤は無機イオン交換体に銀を担持させた銀系抗菌剤を用いた。担持の方法には従来公知の様々な方法が採用可能である。
銀系抗菌剤は例えば「ノバロン」(東亜合成株式会社)などの市販品が利用できる。有機系薬剤は含窒素複素環系の2-(4-チアゾリル)ベンゾイミダゾールを用いた。
微生物が前記部材の表面に補足し易くする為に、多孔質な材料を前記部材に混入させた。
多孔質な材料は、床にはゼオライト、壁と天井には珪藻土を用いた。多孔質な材料はゼオライト、珪藻土に限らず、例えば活性炭、シリカ、粘土など用いることも可能である。前記珪藻土は調湿機能も有し、室内の結露を防止し、微生物類の繁殖に適さない室内湿度にコントロールする効果もある。
【００１６】
面積10ｍ2、高さ2.7mの部屋において、室内を構成する部材は以下のとおりである。
（床）
室内を構成する床は、合成樹脂塗り床で構成され、エポキシ樹脂に耐薬品性、耐磨耗性の機能を有するよう調合された主材に、前記薬剤の一部が塗膜表面に露出するように配合している。
前記薬剤を塗膜表面に露出させる方法は、主材のバインダーより比重の軽い多孔質な骨材を配合し、前記薬剤を前記骨材に付着させ、前記樹脂を塗布することにより骨材が表面に浮上し、前記樹脂の表面に薬剤の一部が露出する。
骨材は例えばゼオライトを用いる。表面に露出したゼオライトは微生物類が補足し易くする効果もある。前記薬剤の配合量は重量100当たり、1〜10重量を配合する。1重量以下の場合、殺菌効果は期待できず、10重量以上では殺菌作用の効果は変わらない。尚、樹脂は限定することなくウレタン樹脂、アクリル樹脂等でも構わない。
（壁と天井）
壁及び天井は塗料で構成され、耐薬品性などの機能を有したアクリル樹脂塗料の表面に、前記薬剤が露出するように配合している。
薬剤の配合量は重量100当たり、1〜10重量を配合する。1重量以下の場合、殺菌効果は期待できず、10重量以上では殺菌作用の効果は変わらない。
前記塗料は、せっこうボードに塗布されている。尚、樹脂は限定することなくウレタン樹脂、シリコン樹脂、フッ素樹脂、エポキシ樹脂等でも構わない。
前記塗料に多孔質な材料として珪藻土を混入させ、微生物類が補足し易くするとともに、調湿機能も有する。
前記塗り床及び塗料は、溶媒に有機溶剤を使用することもできるが、揮発性有機化合物の発生などを考慮して、好ましくは水性塗料がよい。
（建具）
出入り口を構成する鋼製建具は、ガラス部に複層ガラスを用い、金属の表面に前記薬剤を配合した塗料を塗布している。その他、巾木は前記薬剤を含む樹脂が表面にコーティングし、シーリング材は前記薬剤を配合したものを適宜使用している。
前記室内において、室内の空気に対流を与え、室内空気が素早く室内を構成する部材に接触するよう扇風機を設置した。
【００１７】
本発明を実施した部屋と、カビの増殖を抑制する薬剤或いは殺菌作用を持つ薬剤を配合していない従来部材で構成された室内とで、室内の落下菌及び付着菌の測定を行った。従来部材で構成された部屋は本発明を実施した部屋と同一構成とし、室内を構成されている部材には前記薬剤を含んでいない。
部屋は室温28℃、湿度80％に保ち、菌（カビ）の発生物として無垢木材を置いた。
落下菌の測定方法は、部屋中央の高さ1mにおいて、直径90mmのポテトデキストロース寒天培地プレートを置き、30分間放置した。付着菌の測定は、スタンプ法用ポテトデキストロース寒天培地を用いて、室内を構成する部材に培地面を軽く押し付けた。
培地は28℃インキュベータで培養し、コロニー数を測定した。測定したコロニー数の平均値は、表1、表2のとおりであった。
【００１８】
【表１】
2006037663.tif 000002
【００１９】
【表２】
2006037663.tif 000003
【００２０】
測定結果により、時間が経過するにつれ、空気中の浮遊菌（カビ）は、従来部材で構成された部屋は菌（カビ）が増加したが、本発明を実施した部屋の菌（カビ）の増殖は小さかった。
また、室内を構成している部材への付着菌の増殖は、従来部材では菌（カビ）の存在が認められたが、本発明を実施した場合は菌（カビ）の存在は認められなかった。
【００２１】
このように本発明を実施した場合は、カビの繁殖が抑えられる。
本発明は、既存の室内および新設の室内の双方に無論適用される。